(57)【要約】【課題】映像の表示装置とは空間的に異なる領域に映像を観察できるようにする。【解決手段】観察用眼鏡を用いて、可視光域の一部である特定波長域の映像と可視光域の他の部分の波長域の映像とを重畳した映像を観察する。このとき、光学板１２は、入射された特定波長域の光を一定角度で屈折させて透過させ、かつ、他の部分の波長域の光を屈折させずに透過させる。これによって、特定波長域の映像が、可視光域の他の部分の波長域の映像とは異なる位置で観察される。【選択図】図２
2014098855.tif 000002
【特許請求の範囲】
【請求項１】
可視光域の一部である特定波長域の映像と前記可視光域の他の部分の波長域の映像とを重畳した映像を観察するための観察用光学系であって、
入射された前記特定波長域の光を一定角度で屈折させて透過させ、かつ、前記他の部分の波長域の光を屈折させずに透過させる光学板と、
前記光学板を保持するフレームと、
を含む観察用光学系。
【請求項２】
前記光学板は、何れか一方の側の表面に、二つ溝の回折格子が形成されている請求項１記載の観察用光学系。
【請求項３】
前記光学板は、前記特定波長域を透過させる透過部分と、前記特定波長域を遮蔽する遮蔽部分とが、前記光学板の面方向に交互に配置されるように形成され、前記透過部分における何れか一方の側の表面に、二つ溝の回折格子が形成されている請求項１記載の観察用光学系。
【請求項４】
前記光学板は、前記特定波長域を透過させる透過部分と、前記特定波長域を遮蔽する遮蔽部分とが、前記光学板の面方向に交互に配置されるように形成され、前記透過部分は、光を屈折させる屈折部と、前記特定波長域の光を透過させ、かつ、前記他の部分の波長域の光を遮蔽するフィルタとが積層されるように形成されている請求項１記載の観察用光学系。
【請求項５】
前記光学板は、光を反射する第１反射ミラーと、前記第１反射ミラーによって反射された光のうちの前記特定波長域の光を反射し、かつ、前記光学板に入射された光のうちの前記他の部分の波長域の光を透過させる第２反射ミラーとを備える請求項１記載の観察用光学系。
【請求項６】
前記光学板は、２枚の光学板であって、
前記フレームは、前記２枚の光学板を保持するメガネフレームである
請求項１〜請求項５の何れか１項記載の観察用光学系。
【請求項７】
請求項１〜請求項６の何れか１項記載の観察用光学系と、
前記映像を表示する映像表示装置と、
を含む表示システム。
【請求項８】
可視光域の一部である特定波長域の映像を観察するための観察用光学系であって、
入射された光を屈折させて透過させる光学板と、
前記光学板を保持するフレームと、
を含み、
前記特定波長域を、峡帯域とする
観察用光学系。
【発明の詳細な説明】
【技術分野】
【０００１】
本発明は、観察用光学系及び表示システムに係り、特に、映像を観察するための観察用光学系及び表示システムに関する。
【背景技術】
【０００２】
従来より、下面から投影した映像をウインドウシールド表面に設けられたフィルムで反射することで、ドライバが車両前方に映像を観察できるようにしたヘッドアップディスプレイが知られている（特許文献１）。
【０００３】
右目用、左目用に異なる波長域を割り当て、それぞれの波長に異なる映像を表示できるディスプレイユニットと、対応する波長のみを透過する眼鏡フィルムとにより、立体視が実現できるステレオ画像再生システムが知られている（特許文献２）。
【先行技術文献】
【特許文献】
【０００４】
【特許文献１】特開２０１２−０９３５０６号公報
【特許文献２】特表２０１０−５３７２５４号公報
【発明の概要】
【発明が解決しようとする課題】
【０００５】
上記の特許文献１に記載の技術では、投影面が透明であるため、表示装置外に映像があるように見える。しかし、実際には透明板が存在するため、利便・安全上の理由から透明板の設置が困難な場面には応用できない、という問題がある。
【０００６】
また、上記の特許文献２に記載の技術では、一つの表示領域から２倍の映像情報を取り出し、左右の眼に振り分けている。しかし、両映像とも同じ領域に観察されるため、互いに全く異なる映像を与えると両眼視野闘争が生じ両映像を同時に知覚することができない、という問題がある。
【０００７】
本発明は、上記の問題点を解決するためになされたもので、映像の表示装置とは空間的に異なる領域に映像を観察できる観察用光学系及び表示システムを提供することを目的とする。
【課題を解決するための手段】
【０００８】
上記の目的を達成するために第１の発明に係る観察用光学系は、可視光域の一部である特定波長域の映像と前記可視光域の他の部分の波長域の映像とを重畳した映像を観察するための観察用光学系であって、入射された前記特定波長域の光を一定角度で屈折させて透過させ、かつ、前記他の部分の波長域の光を屈折させずに透過させる光学板と、前記光学板を保持するフレームと、を含んで構成されている。
【０００９】
第１の発明によれば、観察用光学系を用いて、可視光域の一部である特定波長域の映像と前記可視光域の他の部分の波長域の映像とを重畳した映像を観察する。このとき、光学板は、入射された前記特定波長域の光を一定角度で屈折させて透過させ、かつ、前記他の部分の波長域の光を屈折させずに透過させる。これによって、特定波長域の映像が、可視光域の他の部分の波長域の映像とは異なる位置で観察される。
【００１０】
このように、特定波長域の映像が、可視光域の他の部分の波長域の映像とは異なる位置で観察されるため、映像の表示装置とは空間的に異なる領域に映像を観察できる。
【００１１】
第１の発明に係る光学板は、何れか一方の側の表面に、二つ溝の回折格子が形成されているようにすることができる。
【００１２】
第１の発明に係る光学板は、前記特定波長域を透過させる透過部分と、前記特定波長域を遮蔽する遮蔽部分とが、前記光学板の面方向に交互に配置されるように形成され、前記透過部分における何れか一方の側の表面に、二つ溝の回折格子が形成されているようにすることができる。
【００１３】
第１の発明に係る光学板は、前記特定波長域を透過させる透過部分と、前記特定波長域を遮蔽する遮蔽部分とが、前記光学板の面方向に交互に配置されるように形成され、前記透過部分は、光を屈折させる屈折部と、前記特定波長域の光を透過させ、かつ、前記他の部分の波長域の光を遮蔽するフィルタとが積層されるように形成されているようにすることができる。
【００１４】
第１の発明に係る光学板は、光を反射する第１反射ミラーと、前記第１反射ミラーによって反射された光のうちの前記特定波長域の光を反射し、かつ、前記光学板に入射された光のうちの前記他の部分の波長域の光を透過させる第２反射ミラーとを備えるようにすることができる。
【００１５】
上記の光学板は、２枚の光学板であって、前記フレームは、前記２枚の光学板を保持するメガネ状のフレームであるようにすることができる。
【００１６】
第２の発明に係る表示システムは、上記の観察用光学系と、前記映像を表示する映像表示装置と、を含んで構成されている。
【００１７】
第３の発明に係る観察用光学系は、可視光域の一部である特定波長域の映像を観察するための観察用光学系であって、入射された光を屈折させて透過させる光学板と、前記光学板を保持するフレームと、を含み、前記特定波長域を、峡帯域とする。
【００１８】
第３の発明によれば、観察用光学系を用いて、可視光域の一部である特定波長域の映像を観察する。このとき、光学板は、入射された光を屈折させて透過させる。また、特定波長域が峡帯域であるため、特定波長域の光が一定角度で屈折する。これによって、特定波長域の映像が、映像の表示位置とは異なる位置で観察される。
【００１９】
このように、特定波長域の映像が、映像の表示位置とは異なる位置で観察されるため、映像の表示装置とは空間的に異なる領域に映像を観察できる。
【発明の効果】
【００２０】
以上説明したように、本発明の観察用光学系及び表示システムによれば、映像の表示装置とは空間的に異なる領域に映像を観察できる、という効果が得られる。
【図面の簡単な説明】
【００２１】
【図１】（Ａ）本発明の第１の実施の形態に係る観察用眼鏡の構成を示す正面図、及び（Ｂ）観察用眼鏡の構成を示す側面図である。
【図２】本発明の第１の実施の形態に係る観察用眼鏡の光学板の構成を示す断面図である。
【図３】表示装置によって表示される重畳映像を、観察用眼鏡を用いて観察した様子を示す図である。
【図４】（Ａ）車載された表示装置を、観察用眼鏡を用いて観察した様子を示す図、（Ｂ）携帯型の表示装置を、観察用眼鏡を用いて観察した様子を示す図、及び（Ｃ）観察用眼鏡を用いて観察した様子を示す図である。
【図５】本発明の第２の実施の形態に係る観察用眼鏡の光学板の構成を示す断面図である。
【図６】本発明の第３の実施の形態に係る観察用眼鏡の光学板の構成を示す断面図である。
【図７】本発明の第４の実施の形態に係る観察用眼鏡の光学板の構成を示す断面図である。
【図８】（Ａ）観察用眼鏡を用いずに観察した様子を示す図、及び（Ｂ）観察用眼鏡を用いて観察した様子を示す図である。
【図９】本発明の第５の実施の形態に係る表示システムの構成を示す図である。
【発明を実施するための形態】
【００２２】
以下、図面を参照して本発明の実施の形態を詳細に説明する。本発明の実施の形態では、ユーザが映像観察用眼鏡を装着して表示装置の映像を観察する表示システムに本発明を適用した場合を例に説明する。
【００２３】
図１に示すように、本発明の第１の実施の形態に係る表示システムの映像観察用眼鏡１０は、可視光域の一部である特定の波長域の光を一定角度で屈折させ、可視光域の他の部分の波長域の光を屈折させずに透過させる右目用、左目用の２枚の光学板１２と、２枚の光学板１２を眼前に保持するための眼鏡状のフレーム１４とを備えている。なお、映像観察用眼鏡１０は、観察用光学系の一例である。
【００２４】
図２に示すように、光学板１２は、例えば、赤色波長の一部（６３０−６５０ｎｍ）である特定波長域を選択的に１０度屈折させるように、透明板１６の光の入射側と反対側の表面全体に、二つ溝の回折格子１８が形成されている。
【００２５】
なお、屈折させる光の特定波長域は、複数の波長域を含んでいてもよく、例えば、Ｒの一部とＧの一部とＢの一部であってもよい。また、特定波長域の光の屈折角度は、0度〜90度であればよく、４５度以内であることが好ましい。
【００２６】
二つ溝の回折格子１８は、周期的な溝の組を有する回折格子であり、各々の組は、広い溝と、近接する狭い溝とを有し、その順序は、所望の光学的効果に従って選択される。二つ溝の回折格子１８は、透明板１６の表面上に配置された二つの異なる幅のＴｉＯ2要
【００２７】
素の周期的に繰り返される組を具備する。なお、本実施の形態で用いる二つ溝の回折格子は、特許文献（特開２０１２−０４２９５５号公報）に記載されたものと同様のものを用いればよく、詳細な説明を省略する。
【００２８】
映像観察用眼鏡１０を装着してユーザが観察する映像を表示する表示装置２０は、可視光域の一部である特定波長域の映像と可視光域の他の部分の波長域の映像との２つの異なる映像を重畳した重畳映像を表示する。
【００２９】
次に、第１の実施の形態に係る表示システムの作用について説明する。
【００３０】
ユーザが映像観察用眼鏡１０を装着して、表示装置２０が表示する重畳映像を観察すると、光学板１２の二つ溝の回折格子１８は、重畳映像の光のうちの特定波長域の光を一定角度で屈折させて透過させ、重畳映像の光のうちの他の部分の波長域の光を屈折させずに透過させる。これによって、図３に示すように、表示装置２０からずれた位置に特定波長域で表示した映像２０Ａが観察され、また、その他の波長域で表示した映像２０Ｂが、表示装置２０の位置に観察される。
【００３１】
例えば、５×１０ｃｍ程度の表示画面を備えた表示装置２０を４０ｃｍの距離から観察すると、約７ｃｍだけ表示装置２０からずれた位置に、特定波長域で表示した映像が観察される。
【００３２】
以上説明したように、本発明の第１の実施の形態の表示システムによれば、特定波長域の光を曲げ、かつ、特定波長域外の光をそのまま透過する光学板を用いた観察用眼鏡をユーザが装着して重畳映像を観察することにより、特定波長域の映像のみがずれて観察され、特定波長域の映像が、可視光域の他の部分の波長域の映像とは異なる位置で観察される。このため、映像の表示装置とは空間的に異なる領域に付加映像を観察できる。例えば、車載された表示装置と、ドライバが装着する映像観察用眼鏡とに本発明を適用した場合には、図４（Ａ）に示すように、表示装置とは異なる領域に、付加映像を観察することができる。また、携帯型の表示装置と、ユーザが装着する映像観察用眼鏡とに本発明を適用した場合には、図４（Ｂ）に示すように、表示装置とは異なる領域に、付加映像を観察することができる。
【００３３】
可視光域での波長分離性及び選択的な光の屈曲という性質を持つ光学板を介して重畳映像を観察することにより、特定波長域で描かれた映像を表示装置の外に観察することが出来る。つまり、表示装置により放射された光線のうち、特定波長域の光線は光学板により曲げられた後に眼球に入射するため、本来の位置からずれて観察される。一方、その他の波長域の光線は、曲げられずに光学板を通過するため、肉眼と同様に観察できる。
【００３４】
また、実質的な表示領域が倍増するとともに，表示装置を設置することが出来ない場所に映像を見せることが出来る。
【００３５】
なお、上記の実施の形態では、光学板の光の入射側と反対側の表面に、二つ溝の回折格子を形成した場合を例に説明したが、これに限定されるものではなく、光学板の光の入射側の表面に、二つ溝の回折格子を形成してもよい。
【００３６】
次に、第２の実施の形態について説明する。なお、第１の実施の形態と同様の構成となる部分については、同一符号を付して説明を省略する。
【００３７】
第２の実施の形態では、二つ溝の回折格子を形成した部分と、誘電体多層膜によるノッチフィルタを形成した部分とをストライプ状に交互に配置して光学板を構成している点が、第１の実施の形態と異なっている。
【００３８】
図５に示すように、第２の実施の形態に係る表示システムの光学板２１２は、上記の第１の実施の形態と同様に、透明板２１６の光の入射側と反対側に二つ溝の回折格子２１８が形成された部分と、誘電体多層膜によるノッチフィルタ２２０が形成された部分とが、ストライプ状に配置されるように、面方向に交互に形成されて構成されている。光学板２１２のストライプ幅は瞳孔径より十分小さいものとする。
【００３９】
ノッチフィルタ２２０は、特定波長域（例えば、例えば、赤色波長の一部（６３０−６５０ｎｍ））の光を遮蔽するものであり、特定波長域以外の波長域の光を透過する。ノッチフィルタ２２０の誘電体多層膜は、例えば、層厚が1μm以下となるように構成されている。
【００４０】
次に、第２の実施の形態に係る表示システムの作用について説明する。
【００４１】
ユーザが映像観察用眼鏡を装着して、表示装置２０が表示する重畳映像を観察すると、光学板２１２の二つ溝の回折格子１８は、重畳映像の光のうちの特定波長域の光を一定角度で屈折させて透過させる。また、ノッチフィルタ２２０は、重畳映像の光のうちの特定波長域の光を遮蔽し、他の部分の波長域の光を屈折させずに透過させる。これによって、表示装置２０からずれた位置に特定波長域で表示した映像２０Ａが観察され、また、その他の波長域で表示した映像２０Ｂが、表示装置２０の位置に観察される。
【００４２】
なお、第２の実施の形態に係る表示システムの他の構成及び作用については、第１の実施の形態と同様であるため、説明を省略する。
【００４３】
このように、ストライプ状に形成されたノッチフィルタ部分で、特定波長域以外の波長域の光が透過されるため、特定波長域以外の光の映像の透過性が十分に確保でき、ユーザは、特定波長域の光の映像と共に、特定波長域以外の光の映像を観察することができる。
【００４４】
なお、上記の実施の形態では、光学板の光の入射側と反対側の表面に、二つ溝の回折格子を形成した場合を例に説明したが、これに限定されるものではなく、光学板の光の入射側の表面に、二つ溝の回折格子を形成してもよい。
【００４５】
また、２枚の光学板の各々が、二つ溝の回折格子が形成された部分とノッチフィルタが形成された部分とが交互に配置されるように形成されている場合を例に説明したが、これに限定されるものではなく、右目用及び左目用の何れか一方の光学板に、二つ溝の回折格子が形成され、他方の光学板に、ノッチフィルタが形成されるように構成してもよい。
【００４６】
次に、第３の実施の形態について説明する。なお、第１の実施の形態、第２の実施の形態と同様の構成となる部分については、同一符号を付して説明を省略する。
【００４７】
第３の実施の形態では、マイクロプリズムとバンドパスフィルタとを積層して形成した部分と、誘電体多層膜によるノッチフィルタを形成した部分とをストライプ状に交互に配置して光学板を構成している点が、第１の実施の形態と異なっている。
【００４８】
図６に示すように、第３の実施の形態に係る表示システムの光学板３１２は、透明板３１６の光の入射側と反対側にマイクロプリズム３１８が形成され、かつ、透明板３１６の光の入射側に誘電体多層膜によるバンドパスフィルタ３２０が形成された部分と、誘電体多層膜によるノッチフィルタ２２０が形成された部分とが、ストライプ状に配置されるように、面方向に交互に形成されて構成されている。光学板３１２のストライプ幅は瞳孔径より十分小さいものとする。なお、マイクロプリズム３１８が、屈折部の一例である。
【００４９】
バンドパスフィルタ３２０は、特定波長域（例えば、赤色波長の一部（６３０−６５０ｎｍ））のみの光を透過する。バンドパスフィルタ３２０の誘電体多層膜は、例えば、層厚が1μm以下となるように構成されている。マイクロプリズム３１８は、バンドパスフィルタ３２０及び透明板３１６を透過した特定波長域の光を、所定角度だけ屈折させる。マイクロプリズム３１８による光の屈折角度は、0度〜90度であればよく、４５度以内であることが好ましい。
【００５０】
また、１つのマイクロプリズム３１８は、例えば、幅が500μm以下となるように構成されている。
【００５１】
次に、第３の実施の形態に係る表示システムの作用について説明する。
【００５２】
ユーザが映像観察用眼鏡を装着して、表示装置２０が表示する重畳映像を観察すると、光学板３１２のストライプ状に形成されたバンドパスフィルタ３２０は、重畳映像の光のうちの特定波長域の光のみを透過させ、マイクロプリズム３１８は、当該特定波長域の光を一定角度で屈折させて透過させる。また、光学板３１２のストライプ状に形成されたノッチフィルタ２２０は、重畳映像の光のうちの特定波長域の光を遮蔽し、他の部分の波長域の光を屈折させずに透過させる。これによって、表示装置２０からずれた位置に特定波長域で表示した映像２０Ａが観察され、また、その他の波長域で表示した映像２０Ｂが、表示装置２０の位置に観察される。
【００５３】
なお、第３の実施の形態に係る表示システムの他の構成及び作用については、第１の実施の形態と同様であるため、説明を省略する。
【００５４】
このように、特定波長域の光を曲げるバンドパスフィルタ及びマイクロプリズムと、特定波長域外の光をそのまま透過するノッチフィルタとがストライプ状に交互に形成された光学板を用いた観察用眼鏡をユーザが装着して重畳映像を観察することにより、特定波長域の映像のみがずれて観察され、特定波長域の映像が、可視光域の他の部分の波長域の映像とは異なる位置で観察されるため、映像の表示装置とは空間的に異なる領域に付加映像を観察できる。
【００５５】
なお、上記の実施の形態では、光学板の光の入射側と反対側にマイクロプリズムが形成され、かつ、光学板の光の入射側に誘電体多層膜によるバンドパスフィルタが形成される場合を例に説明したが、これに限定されるものではなく、光学板の光の入射側にマイクロプリズムが形成され、かつ、光学板の光の入射側と反対側に誘電体多層膜によるバンドパスフィルタが形成されてもよい。
【００５６】
また、２枚の光学板の各々が、マイクロプリズムとバンドパスフィルタとが積層された部分と、ノッチフィルタが形成された部分とが交互に配置されるように形成されている場合を例に説明したが、これに限定されるものではなく、右目用及び左目用の何れか一方の光学板に、マイクロプリズムとバンドパスフィルタとの積層構造が形成され、他方の光学板に、ノッチフィルタが形成されるように構成してもよい。
【００５７】
次に、第４の実施の形態について説明する。なお、第１の実施の形態と同様の構成となる部分については、同一符号を付して説明を省略する。
【００５８】
第４の実施の形態では、誘電体多層膜ミラーと鏡とを組み合わせて光学板を構成している点が、第１の実施の形態と異なっている。
【００５９】
図７に示すように、第４の実施の形態に係る表示システムの光学板４１２は、光を反射する鏡４１４と、特定波長域の光を反射し、他の部分の波長域の光を透過させる誘電体多層膜ミラー４１６とを備えている。眼鏡状のフレーム１４は、右目用の光学板４１２を構成する鏡４１４及び誘電体多層膜ミラー４１６と左目用の光学板４１２を構成する鏡４１４及び誘電体多層膜ミラー４１６とを眼前に保持する。なお、鏡４１４が、第１反射ミラーの一例であり、誘電体多層膜ミラー４１６が、第２反射ミラーの一例である。
【００６０】
鏡４１４は、入射された光を反射し、鏡４１４により反射した光が、誘電体多層膜ミラー４１６に入射される。このとき、誘電体多層膜ミラー４１６により、鏡４１４により反射した光のうち、特定波長域（例えば、例えば、赤色波長の一部（６３０−６５０ｎｍ））の光のみが反射される。また、光学板４１２に入射された光のうち、特定波長域以外の波長域の光が、誘電体多層膜ミラー４１６を透過する。
【００６１】
誘電体多層膜ミラー４１６の誘電体多層膜は、例えば、層厚が1μm以下となるように構成されている。鏡４１４及び誘電体多層膜ミラー４１６の組み合わせにより、入射された光のうちの特定波長域の光を、所定角度屈折させる。鏡４１４及び誘電体多層膜ミラー４１６の組み合わせによる光の屈折角度は、0度〜90度であればよく、４５度以内であることが好ましい。
【００６２】
次に、第４の実施の形態に係る表示システムの作用について説明する。
【００６３】
ユーザが映像観察用眼鏡を装着して、表示装置２０が表示する重畳映像を観察すると、光学板４１２の鏡４１４は、重畳映像の光を反射し、誘電体多層膜ミラー４１６は、反射された重畳映像の光のうちの特定波長域の光のみを反射させ、ユーザの眼に向かって出射する。また、誘電体多層膜ミラー４１６は、表示装置２０が表示した重畳映像の光のうちの他の部分の波長域の光を透過させ、ユーザの眼に向かって出射する。これによって、表示装置２０からずれた位置に特定波長域で表示した映像２０Ａが観察され、また、その他の波長域で表示した映像２０Ｂが、表示装置２０の位置に観察される。
【００６４】
誘電体多層膜ミラー４１６としてダイクロイックミラーを用いた、第４の実施の形態に係る映像観察用眼鏡を装着して、図８（Ａ）に示すような、表示装置２０が表示する重畳映像を観察すると、図８（Ｂ）に示すように、表示装置２０からずれた位置に特定波長域で表示した映像が観察され、また、その他の波長域で表示した映像が、表示装置２０の位置に観察される。
【００６５】
このように、鏡と、特定波長域の光を曲げ、かつ、特定波長域外の光をそのまま透過する誘電体多層膜ミラーとを備えた光学板を用いた観察用眼鏡をユーザが装着して重畳映像を観察することにより、特定波長域の映像のみがずれて観察され、特定波長域の映像が、可視光域の他の部分の波長域の映像とは異なる位置で観察されるため、映像の表示装置とは空間的に異なる領域に付加映像を観察できる。
【００６６】
次に、第５の実施の形態について説明する。なお、第１の実施の形態と同様の構成となる部分については、同一符号を付して説明を省略する。
【００６７】
第５の実施の形態では、波長選択性のない回折格子が形成された光学板を用いている点と、表示装置が、峡帯域光で表示した映像を出力している点とが第１の実施の形態と異なっている。
【００６８】
図９に示すように、第５の実施の形態に係る光学板５１２は、透明板の光の入射側及び反対側の少なくとも一方の表面全体に、波長選択性のない回折格子が形成されている。
【００６９】
映像観察用眼鏡を装着して観察する映像を表示する表示装置５２０は、可視光域の一部である峡帯域（帯域幅が50nm以下）の光の映像を表示する。表示装置５２０として、例えばレーザープロジェクタを用いることができる。
【００７０】
次に、第５の実施の形態に係る表示システムの作用について説明する。
【００７１】
ユーザが映像観察用眼鏡を装着して、表示装置２０が表示する峡帯域の光の映像を観察すると、光学板５１２の回折格子において、表示装置５２０から発せられた光が＋１次もしくは−１次の回折をした後、眼球に入射することで、表示装置５２０の外に映像を観察することが出来る（図９のＭ参照）。このとき、波長により回折の角度が異なるため広帯域光ではぼやけた像となってしまうが、峡帯域光を用いることにより鮮明な像を観察することが出来る。
【００７２】
このように、峡帯域である特定波長域の映像が、映像の表示位置とは異なる位置で観察されるため、図４（Ｃ）に示すように、表示装置を設置することが出来ない場所において、映像を観察できるようにすることができる。
【００７３】
なお、上記の各実施の形態において、２枚の光学板を、眼鏡状のフレームが保持するように構成された観察用眼鏡に本発明を適用した場合を例に説明したが、これに限定されるものではなく、１つの光学板をフレームが保持するように構成された観察用光学系（例えば、ルーペ）に本発明を適用してもよい。
【符号の説明】
【００７４】
１０   映像観察用眼鏡
１２、２１２、３１２、４１２、５１２      光学板
１４   フレーム
１６、２１６、３１６ 透明板
１８   回折格子
２０、５２０  表示装置
２０Ａ、２０Ｂ映像
２１８ 回折格子
２２０ ノッチフィルタ
３１８ マイクロプリズム
３２０ バンドパスフィルタ
４１４ 鏡
４１６ 誘電体多層膜ミラー
【図１】
2014098855.tif 000003
【図２】
2014098855.tif 000004
【図５】
2014098855.tif 000005
【図６】
2014098855.tif 000006
【図７】
2014098855.tif 000007
【図３】
2014098855.tif 000008
【図４】
2014098855.tif 000009
【図８】
2014098855.tif 000010
【図９】
2014098855.tif 000011